(57)【特許請求の範囲】
【請求項１】
内部に配置された管路の一端側を第１連結部で内視鏡本体に着脱自在に取り付け、上記管路の他端側を第２連結部で電磁弁ユニットに着脱自在に取り付ける管路ユニットの着脱装置であって、
上記第１連結部の固定状態をロックし又はこのロックを解除するロック手段と、
上記第２連結部の着脱状態を検出し、上記管路ユニットが上記電磁弁ユニットから取り外されたときのみ、上記ロック手段のロックが解除されるように制御する着脱検出・制御手段とを設けたことを特徴とする管路ユニット着脱装置。
【請求項２】
上記第１連結部として、受け部に対し回転操作により固定させる回転体を設け、上記ロック手段として、電気的動作により上記回転体に係止する係止体を設け、上記着脱検出・制御手段として、上記第２連結部の着脱検出と同時に上記ロック手段の駆動電源の供給ラインを接続又は非接続とする電極対を設けたことを特徴とする上記第１請求項記載の管路ユニット着脱装置。
【発明の詳細な説明】
【０００１】
【発明の属する技術分野】
本発明は管路ユニット着脱装置、特に内視鏡に備えた吸引管、送気／送水管等の管路を途中から分離可能として取り扱う管路ユニットの着脱装置に関する。
【０００２】
【従来の技術】
従来の、例えば電子内視鏡（スコープ）は、ＣＣＤ（Ｃｈａｒｇｅ  Ｃｏｕｐｌｅｄ  Ｄｅｖｉｃｅ）を有する先端部、挿入部、操作部、ケーブルからなり、このケーブルを光源装置及びプロセッサ装置に接続するようになっている。この内視鏡本体及びケーブルには、ライトガイドや電気信号線が配置され、また先端部へ送気／送水をするための送気管及び送水管や、処置具の挿入及び被観察体内の内容物を吸引する吸引管等が配置される。
【０００３】
このような内視鏡によれば、光源装置の光がライトガイドを介して先端部から照射され、これに基づいてＣＣＤにより被観察体内が撮像・観察される。そしてこのとき、上記送気管及び送水管を用いて先端部から観察窓等へ送気及び送水ができ、上記吸引管を用いて処置具の挿入や被観察体内の汚物等の吸引・排出が可能となる。
【０００４】
【発明が解決しようとする課題】
ところで、上述の内視鏡装置は、医療現場で用いられることから上記各種管路の洗浄や殺菌消毒等が必要であり、この洗浄、消毒を効率よく行うために、上記管路を途中で着脱自在に分離することが提案されている。これによれば、洗浄ブラシによる洗浄が容易となると共に、分離した管路ユニットにつき、オートクレーブ等による滅菌処理等ができることになる。
【０００５】
しかしながら、上記管路ユニットを本体側に対し着脱自在とする構成では、内視鏡使用中等において、管路ユニットが連結部で外れることも考えられる。この場合には、上述した吸引、送気／送水等の動作が停止され、内視鏡による観察・処置等が中断される。また、吸引している被観察体内の内容物や水等が漏出して周囲を汚す結果ともなる。
【０００６】
本発明は上記問題点に鑑みてなされたものであり、その目的は、管路ユニットが外れないように確実にロックでき、しかも使用中にはこのロックは解除されないようにし、内視鏡による観察・処置等が中断する等の不都合をなくすことができる管路ユニット着脱装置を提供することにある。
【０００７】
【課題を解決するための手段】
上記目的を達成するために、第１請求項の発明は、内部に配置された管路の一端側を第１連結部で内視鏡本体に着脱自在に取り付け、上記管路の他端側を第２連結部で電磁弁ユニットに着脱自在に取り付ける管路ユニットの着脱装置であって、上記第１連結部の固定状態をロックし又はこのロックを解除するロック手段と、上記第２連結部の着脱状態を検出し、上記管路ユニットが上記電磁弁ユニットから取り外されたときのみ、上記ロック手段のロックが解除されるように制御する着脱検出・制御手段とを設けたことを特徴とする。
第２請求項の発明は、上記第１連結部として、受け部に対し回転操作により固定させる回転体を設け、上記ロック手段として、電気的動作により上記回転体に係止する係止体を設け、上記着脱検出・制御手段として、上記第２連結部の着脱検出と同時に上記ロック手段の駆動電源の供給ラインを接続又は非接続とする電極対を設けたことを特徴とする。
【０００８】
上記の構成によれば、第１及び第２連結部が接続された状態で、例えば電磁弁ユニットの電源を入れたとき、ロック手段により第１連結部の固定状態がロックされる。従って、内視鏡の使用中に管路ユニットが本体側から外れることはない。そして、内視鏡の使用が終了し、管路ユニットの洗浄等を行う際には、第２連結部を取り外すことにより、上記の第１連結手段のロック状態が解除される。即ち、第２連結部の取外し状態が着脱検出・制御手段で検出されると、ロック手段のロック状態が自動的に解除されるので、第１連結部で上記管路ユニットを取り外すことができる。
【０００９】
上記の第１連結部としては、回転体を受け部にネジ結合するものを用いることができ、この場合は、例えばソレノイドで駆動するピン状係止体を上記の回転体の外周溝に係止させ、これによりロック状態とすることができる。また、上記着脱検出・制御手段として、電源供給ラインを接続又は非接続する電極対を用いれば、第２連結部の取外しが電極の非接続により検出されると同時に、駆動電源の供給ラインも切断状態となり、上記ソレノイドのオフ動作により上記ロック状態が解除される。
【００１０】
【発明の実施の形態】
図１乃至図６には、実施形態に係る管路ユニット着脱装置の構成が示され、この内視鏡装置は電磁弁を用いて管路の制御を行うものであり、まず図２により全体構成を説明する。図２において、電子内視鏡１０は、撮像素子であるＣＣＤを有する先端部１０Ａ、挿入部１０Ｂ、操作部１０Ｃ、第１ケーブル１０Ｄからなり、この第１ケーブル１０Ｄのコネクタ１１が光源装置１２に接続され、このコネクタ１１から分岐した信号ケーブルに設けられたコネクタ１３がプロセッサ（画像処理）装置１４へ接続される。
【００１１】
即ち、上記第１ケーブル１０Ｄは、先端部から操作部１０Ｃまで配設されたライトガイド１５及び上記ＣＣＤの駆動制御及び画像信号の読出しを行うための信号線１６を内包しており、上記ライトガイド１５を光源装置へ接続し、上記信号線１６をプロセッサ装置１４へ接続する役目をする。これにより、先端部からの光照射及び上記ＣＣＤからの画像信号の読出し等が可能となる。
【００１２】
また、図１の詳細図にも示されるように、上記操作部１０Ｃには、電気的スイッチである吸引釦１７Ａ、送気／送水釦（二段スイッチ）１７Ｂ、ハードコピー釦１７Ｃが設けられ、不図示（図の裏側）のアングルツマミ等も配置される。上記操作部１０Ｃ（内視鏡本体）内には、吸引管１９Ａが設けられ、この吸引管１９Ａと並ぶようにして、不図示の送気管、送水管が配置される（これらの管路の種類及び配置は各種のものがある）。当該例では、この操作部１０Ｃ内の管１９Ａは、図示されるように、挿入部の軸線の延長線に沿うように、後端部Ｅに向けて真っ直ぐ形成されており、操作部１０Ｃの後端部Ｅからの洗浄ブラシの挿入が行い易くなっている。
【００１３】
そして、図２に示されように、上記の操作部１０Ｃの後端部Ｅに、管路ユニット２０が第１連結部（コネクタ）２１で着脱自在に設けられ、またこの管路ユニット２０は第２連結部２２を介して電磁弁ユニット２３に接続される。即ち、この管路ユニット２０は、支持部２０Ａと第２ケーブル２０Ｂから構成され、この管路ユニット２０内には、図１に示されるように、上記の操作部１０Ｃ側の吸引管１９Ａ及び送気／送水管に連結されることになる吸引管１９Ｂ及び送気／送水管（不図示）が配置され、これらの管路は電磁弁ユニット２３まで導かれる。
【００１４】
なお、上記吸引管１９Ｂには分岐管２４を介して鉗子口２５が設けられ、この鉗子口２５は処置具の導入口となり、吸引管１９Ａ，Ｂは処置具挿通チャンネルの役目もすることになる。
【００１５】
また、上記電磁弁ユニット２３は、上記プロセッサ装置１４に電気的に接続されており、この電磁弁ユニット２３は、上記吸引釦１７Ａ及び送気／送水釦１７Ｂの操作制御信号を入力し、内部の電磁弁を開閉制御することにより、上記各管路１９Ａ，Ｂ等を介して吸引、送気／送水の動作を行うことができる。
【００１６】
図１及び図３に示されるように、上記管路ユニット２０を上記操作部１０Ｃへ接続するための第１連結部２１は、ネジ固定式となっている。即ち、この操作部１０Ｃの後端部Ｅに、雄ネジを外周に形成した受け部２７が取り付けられ、管路ユニット２０の支持部２０Ａには、雌ネジを内周に形成した回転体２８が設けられる。従って、この回転体２８を受け部２７に螺合結合することにより、管路ユニット２０を操作部１０Ｃに接続固定し、上記吸引管１９Ａ，１９Ｂ等の管路を連結することができる。
【００１７】
また、第１連結部２１では、上記回転体２８の外周に半円状の溝２９が多数設けられると共に、この溝２９に係止する係止ピン３０を有するソレノイド体３１が支持部２０Ａに取り付けられる。図４には、この係止ピン３０と上記溝２９との関係が示されており、上記ソレノイド体３１を通電制御し、係止ピン３０を進退動作させれば、この係止ピン３０を溝２９に係合させ、回転体２８をロック状態にすることができる。なお、このソレノイド体３１は第２ケーブル２０Ｂを介して後述の第２連結部２２へ電気的に接続される。
【００１８】
図５及び図６には、第２連結部２２の詳細な構成が示されており、この第２連結部２２は、スライド操作リングによりワンタッチで着脱ができる構成となっている。即ち、図示されるように、第２連結部２２では、電磁弁ユニット２３側の支持筒３２に、その内部を上下動して外周面又は内周面から一部を露出する係止用ボール３３が複数個配置されており、一方第２ケーブル２０Ｂ側の支持筒３５（ケーブル２０Ｂ）の外周にスライド自在に操作リング３６が設けられ、この操作リング３６はバネ３７で端部側（電磁弁ユニット側）に付勢される。また、上記支持筒３５の端部側には、上記ボール３３を係止させるボール溝３８が設けられる。
【００１９】
そして、この第２連結部２２には、第２ケーブル２０Ｂの取付け及び取外し状態を検出する着脱検出・制御手段が設けられる。即ち、電磁弁ユニット２３側の保持部材３９に、筒状電極４０Ａ，４０Ｂが配置されると共に、第２ケーブル２０Ｂ側の保持部材４１にピン状電極４２Ａ，４２Ｂが配置されており、上記筒状電極４０Ａ，４０Ｂに駆動電源４３が接続される。
【００２０】
従って、第２連結部２２での第２ケーブル２０Ｂの取付け時には、上記のピン状電極４２Ａ，４２Ｂと筒状電極４０Ａ，４０Ｂが接続され、第１連結部２１側への駆動電源４３の供給によりソレノイド体３１がオンし、逆に第２ケーブル２０Ｂの取外し時では、上記電極４２Ａ，４２Ｂ、４０Ａ，４０Ｂが非接続となり、ソレノイド体３１がオフすることになる。
【００２１】
第１例は以上の構成からなり、管路ユニット２０は、図３に示されるように、係止ピン３０が退避した状態で、第１連結部２１の連結が行われる。この第１連結部２１では、回転体２８を受け部２７に螺合結合することにより、図１に示されるように、管路ユニット２０が操作部１０Ｃへ接続される。
【００２２】
一方、第２連結部２２においても、図６（Ａ）に示されるように、操作リング３６をスライドさせた状態で、第２ケーブル２０Ｂを電磁弁ユニット２３へ接続し、この操作リング３６を離せば、ボール３３が支持筒３５のボール溝３８に係止して、第２連結部２２の接続が完了する。このとき、上述した筒状電極４０Ａ，４０Ｂとピン状電極４２Ａ，４２Ｂが接続状態となる。
【００２３】
このような状態で、電磁弁ユニット２３或いは装置全体の電源を立ち上げると、駆動電源４３から所定の電源が第１連結部２１のソレノイド３１へ供給されるので、図１に示されるように、係止ピン３０が飛び出して回転体２８の溝２９へ係合し、回転体２８がロック状態となる。従って、内視鏡の使用中に回転体２８が自然に回転し、管路ユニット２０が本体側から外れるということはない。
【００２４】
しかし、洗浄等の際には、この管路ユニット２０を操作部１０Ｃ（本体側）から取り外す必要がある。このときには、図６（Ａ），（Ｂ）に示されるように、第２連結部２２の操作リング３６をスライドさせながら、管路ユニット２０Ｂを電時弁ユニット２３から外すと、上記筒状電極４０Ａ，４０Ｂとピン状電極４２Ａ，４２Ｂが非接続状態となり、上記ソレノイド３１への駆動電源４３の供給が断たれる。
【００２５】
これにより、上記第１連結部２１の回転体２８に係止する係止ピン３０は溝２９から退避し、回転体２８のロック状態が解除されることになり、この回転体２８の回転操作により、管路ユニット２０を操作部１０Ｃから外すことが可能となる。なお、上記の電磁弁ユニット２３のメイン電源をオフして駆動電源４３を非接続とした場合でも、上記ソレノイド３１はオフしてロック状態が解除される。
【００２６】
上記実施形態例では、ロック手段の駆動系（係止ピン３０及びソレノイド３１）を管路ユニット２０側に設けたが、操作部１０Ｃ側に設けることもできる。この場合は、着脱検出・制御手段として、例えば第２連結部２２の取外し状態を電気的に検出し、本体側の制御回路等で駆動系を動作させるものを用いることになる。
【００２７】
【発明の効果】
以上説明したように、第１請求項の発明によれば、管路ユニットが本体側と接続される第１連結部の固定状態をロックできるようにし、この管路ユニットが第２連結部で電磁弁ユニットから取り外されるときのみ、上記のロック状態を解除できるようにしたので、内視鏡の使用中では管路ユニットが外れないように確実にロックでき、内視鏡による観察・処置等が中断するという不都合をなくすことが可能となる。
【００２８】
第２請求項の発明によれば、回転体を受け部に対し螺合結合して上記第１連結部を接続し、上記第２連結部の取外し状態を電極対の非接続で検出し、同時に上記ロック手段への電源供給を切断して、上記第１連結部のロック状態を解除することができ、簡易な構成の管路ユニット着脱装置を得ることができるという利点がある。
【図面の簡単な説明】
【図１】本発明の実施形態例に係る管路ユニット着脱装置の第１連結部の構成を示す断面図である。
【図２】実施形態例の装置を適用した内視鏡装置の全体構成を示す図である。
【図３】図１の第１連結部を取外した状態で示す断面図である。
【図４】図１の第１連結部における回転体と係止ピンの関係を示す図である。
【図５】実施形態例の装置における第２連結部の構成を示す断面図である。
【図６】図５の第２連結部の動作状態を示し、図（Ａ）は操作リングをスライドさせた状態、図（Ｂ）は管路ユニットを電磁弁ユニットから取外したときの状態を示す図である。
【符号の説明】
１０  …  電子内視鏡、
１０Ｃ  …  操作部（本体側）、
１９Ａ，１９Ｂ  …  吸引管、
２０  …  管路ユニット、
２１  …  第１連結部、
２２  …  第２連結部、
２３  …  電磁弁ユニット、
２７  …  受け部、
２８  …  回転体、
２９  …  溝、
３０  …  係止ピン、
３１  …  ソレノイド、
３６  …  操作リング、
４０Ａ，４０Ｂ  …  筒状電極、
４２Ａ，４２Ｂ  …  ピン状電極。
【図１】
0003631349.tif 000002
【図２】
0003631349.tif 000003
【図３】
0003631349.tif 000004
【図４】
0003631349.tif 000005
【図５】
0003631349.tif 000006
【図６】
0003631349.tif 000007